(57)【要約】【課題】湿気や酸素などがポケット部に入り込むことを防止できるＰＴＰ包装体を提供する。【解決手段】本発明のＰＴＰ包装体１は、アルミ層を備えた材料で形成し、収納物を収納するポケット部３を有する底材２と、アルミ層を備えた材料で形成し、前記ポケット部３を被覆する蓋材４とを備え、周縁部５を全周に渡り巻き締めたことを特徴とする。  ＰＴＰ包装体１は、底材２及び蓋材４をアルミ層を備えた材料で形成し、周縁部５を巻き締めたため、湿気や空気などがポケット部３に入り込むことを防止できる。【選択図】図２
2011042370.tif 000002
【特許請求の範囲】
【請求項１】
アルミ層を備えた材料で形成し、収納物を収納するポケット部を有する底材と、アルミ層を備えた材料で形成し、前記ポケット部を被覆する蓋材とを備えたＰＴＰ包装体において、周縁部を全周に渡り巻き締めたＰＴＰ包装体。
【請求項２】
蓋材の周縁部を底材の周縁部よりも外方に張り出すように形成し、これら周縁部を下向きに巻き締めた請求項１に記載のＰＴＰ包装体。
【請求項３】
底材の周縁部を蓋材の周縁部よりも外方に張り出すように形成し、これら周縁部を上向きに巻き締めた請求項１に記載のＰＴＰ包装体。
【発明の詳細な説明】
【技術分野】
【０００１】
本発明は、錠剤、カプセル剤などの薬剤等の包装に適したＰＴＰ（プレススルーパッケージ）包装体に関する。
【背景技術】
【０００２】
ＰＴＰ包装体は、錠剤、カプセル剤などの薬剤や菓子類などの食品等の包装として広く用いられている。
ＰＴＰ包装体は、例えば、塩化ビニル（ＰＶＣ）などからなるプラスチックシートに凹形のポケット部を成形し、このシートを底材としてポケット部に薬剤などを収納し、アルミ箔などからなる蓋材でポケット部を被覆するとともにポケット部以外の平面部にヒートシールなどして作製することができる。
このようなＰＴＰ包装体は、ポケット部を指先で押すことにより、その部分の蓋材が破れて収納物を容易に取り出すことができるものである。
【０００３】
ＰＴＰ包装体は、収納物の品質を長期間維持できるように湿気や酸素などを透過させないことが好ましい。このため、底材や蓋材に湿気や空気を透過させないアルミ箔などを積層したものが作製されている。
しかし、底材や蓋材にアルミ箔などを積層したとしても、図１３に示すように、シール部分の端面から湿気や酸素などが入り込み、時間の経過とともにポケット部まで拡散してしまうことがあった。
そこで、シール層を、湿気を透過させないポリクロロトリフルオロエチレン（ＰＣＴＦＥ）で作製したＰＴＰ包装体が開発され、湿気がポケット部に拡散することを防止している（下記特許文献１参照）。
【先行技術文献】
【特許文献】
【０００４】
【特許文献１】特表２００９−５１１３１０号公報
【発明の概要】
【発明が解決しようとする課題】
【０００５】
上記特許文献１のＰＴＰ包装体は、湿気の拡散を防止できるが、酸素などの拡散に関しては考慮されているものではなかった。
最近では、湿気や酸素などにより変質しやすい薬剤が開発されており、さらなるバリア性が求められている。
【０００６】
そこで、本発明の目的は、湿気や酸素などがポケット部に入り込むことを防止できるＰＴＰ包装体を提供することにある。
【課題を解決するための手段】
【０００７】
本発明のＰＴＰ包装体は、アルミ層を備えた材料で形成し、収納物を収納するポケット部を有する底材と、アルミ層を備えた材料で形成し、前記ポケット部を被覆する蓋材とを備えたＰＴＰ包装体において、周縁部を全周に渡り巻き締めしてあることを特徴とするものである。
【０００８】
本発明のＰＴＰ包装体は、周縁部を全周に渡り巻き締めしたことにより、端面から湿気や酸素などが入り込むことを防止でき、ポケット部にまで湿気や酸素などが入り込むことを防止できるものである。
【図面の簡単な説明】
【０００９】
【図１】本発明の一実施形態のＰＴＰ包装体を示した底材側からの斜視図である。
【図２】図１のＰＴＰ包装体の横断面図である。
【図３】図１のＰＴＰ包装体の周縁部付近の部分拡大断面図である。
【図４】図１のＰＴＰ包装体の底材に用いるシート材の一例を模式的に示した断面図である。
【図５】図１のＰＴＰ包装体の蓋材に用いるシート材の一例を模式的に示した断面図である。
【図６−７】本発明のＰＴＰ包装体の他例を示した周縁部付近の部分拡大断面図である。
【図８】図１のＰＴＰ包装体の周縁部を巻き締める方法の一例を示し、巻き締める前の状態を示した周縁部付近の部分拡大断面図である。
【図９−１２】図１のＰＴＰ包装体の周縁部を巻き締める方法の他例を段階的に示した周縁部付近の部分拡大断面図である。
【図１３】従来のＰＴＰ包装体の一例を示した周縁部付近の部分拡大断面図である。
【発明を実施するための形態】
【００１０】
以下、本発明を、ＰＴＰ包装体の一実施形態に基づいて説明する。
【００１１】
本発明の一実施形態のＰＴＰ包装体１は、図１〜３に示すように、ポケット部３を備えた底材２と、蓋材４とを備え、これらの周縁部５を巻き締めたことを特徴とするものである。
【００１２】
底材２は、薬剤６などの収容物を収容する凹形状のポケット部３を備えたものである。
底材２は、少なくともアルミ層を備えたシート材で形成してあり、このシート材としては、アルミ箔などから形成したアルミ層の上側又は下側に樹脂フィルムなどを積層したプラスチックシートを用いることができる。
【００１３】
この樹脂フィルムとしては、例えば、２軸延伸ナイロン、無延伸ナイロン、ポリエチレンテレフタレート（ＰＥＴ）フィルム、ポリプロピレン（ＰＰ）フィルム、ポリエチレン（ＰＥ）フィルムなどを用いることができ、従来からＰＴＰ包装体に用いられているフィルムを用いることができる。最外層は、冷間成型できるフィルムを用いるのが好ましく、最内層は、ヒートシールできるフィルムを用いるのが好ましい。
アルミ層は、樹脂フィルムにアルミを蒸着させて形成することもできる。
上記シート材としては、図４に示すように、最外層２１としてＰＶＣフィルム、中間層２２としてアルミ箔、最内層２３としてナイロンフィルム又はＰＥＴフィルムを積層したプラスチックシートを用いるのが好ましい。
【００１４】
底材２の厚みは、１００μｍ〜２００μｍ、特に１３０μｍ〜１５０μｍにするのが好ましい。底材２は、上面視長方形状に形成してあるが、正方形状、円形状、長円状などに形成することもできる。
【００１５】
ポケット部３は、シート材に真空成形などを施して形成することができ、２列並列に形成し、計１０箇所設けてある。ポケット部３は、円形凹状に１０箇所形成してあるが、矩形凹状、長円凹状などに形成することができ、適宜個数設けることができる。
【００１６】
蓋材４は、底材２のポケット部３以外の上面に、ヒートシールや接着剤などで貼付して、ポケット部６を被覆するものである。
蓋材４は、底材２の上面よりも一回り大きく形成し、蓋材４１の周縁部４１が、底材２の周縁部２１よりも全周に渡り外方に張り出すように底材２に貼付するのが好ましい。
本発明では、上記以外の構成として、蓋材を、底材の上面よりも一回り小さく形成し、底材の周縁部が、蓋材の周縁部よりも全周に渡り外方に張り出すように底材に貼付してもよい。もちろん、蓋材を底材の上面と同じ大きさに形成し、蓋材の周縁部と底材の周縁部とが合わさるようにしてもよい。
【００１７】
蓋材４は、少なくともアルミ層を備えたシート材で形成してあり、このシート材は、アルミ箔などから形成したアルミ層の上側又は下側に樹脂フィルムなどを積層したプラスチックシートを用いることができ、また、アルミ箔のみの単層を用いることもできる。
【００１８】
この樹脂フィルムとしては、例えば、２軸延伸ナイロン、無延伸ナイロン、ポリエチレンテレフタレート（ＰＥＴ）フィルム、ポリプロピレン（ＰＰ）フィルム、ポリエチレン（ＰＥ）フィルムなどを用いることができ、従来からＰＴＰ包装体に用いられているフィルムを用いることができる。最外層は、冷間成型できるフィルムを用いるのが好ましく、最内層は、ヒートシールできるフィルムを用いるのが好ましい。
アルミ層は、樹脂フィルムにアルミを蒸着させて形成することもできる。
上記シート材は、図５に示すように、最外層４１として二軸延伸ナイロンフィルム、中間層４２としてアルミ箔、最内層４３としてＰＶＣフィルム或いはポリプロピレンフィルムを積層したプラスチックシートを用いるのが好ましい。
蓋材３の厚みは、好ましくは２０μｍ〜４０μｍ、特に好ましくは２５μｍ〜３０μｍである。
【００１９】
周縁部５は、図３に示すように、底材２及び蓋材３の周縁部２４、４４を下向きに巻き締めて形成し、包装体１の端部から湿気や空気などが入り込まないようにしてある。巻き締めは、底材２の周縁部２１が二重に折り重なり、その間隙に蓋材３の端部が入り込むように巻き締めるのが好ましい。巻き締める際、隙間ができないようにゴム状の弾性のある密封性のよいスチレン・ブタジエンゴム、ブタジエンゴム、天然ゴム、ニトリルゴムなどのシーリングコンパウンドを周縁部２４，４４に塗布しておくのが好ましい。
周縁部は、図６に示すように、上向きに巻き締めて形成することもでき、この際、巻き締めは、蓋材の周縁部が二重に折り重なり、その間隙に底材の端部が入り込むように巻き締めるのが好ましい。
周縁部５は、円形状に巻き締めてあるが、図７に示すように、長円形状などに巻き締めてもよい。
【００２０】
ＰＴＰ包装体１は、例えば、従来からあるＰＴＰ成形機を用いて包装体を形成し、この包装体の周縁部を巻き締めることにより製造することができる。
より詳細には、例えば、蓋材３を底材２に、蓋材４の周縁部４４が全周に渡り略等幅で底材２の周縁部２４よりも外側に張り出すようにヒートシールや接着剤などで貼付し、図８に示すように、蓋材４の張り出した部分を下方に折り返して底材２の周縁部２４の下面側に沿わせ、この状態で、周縁部２４，４４を、図３に示すように、ロール状に巻き付けることにより製造することができる。
【００２１】
巻き締めは、例えば、以下のような巻き締め具７により行うことができる。
巻き締め具７は、図９に示すように、横向きに開口した断面Ｕ字状の溝部７１を備えてあり、溝部７１内の上側の面を上側面７２、奥側の円弧状の面を円弧面７３、下側の面を下側面７４としてある。
まず、上記と同様に、包装体を、蓋材４の張り出した部分を下方に折り返して底材２の周縁部２４の下面側に沿わせておく。巻き締め具７を、図１０〜１２に示すように、この包装体の端部に、上側面７２が蓋材４の上面に沿うように横方向から押し込むことにより、包装体の周縁部が円弧面７３で円形状に曲げられ、下向きに巻き締めることができる。
【００２２】
包装体の端部を、巻き締め具７の下側面７４に沿うように横方向から押し込めば、上向きに巻き締めることができる。
また、円弧面７３の曲率など溝部７１の形状を変えることにより、周縁部５を長円状に巻き締めるなど他の形状に巻き締めることができる。
【００２３】
ＰＴＰ包装体１は、底材２及び蓋材４をアルミ層を備えた材料で形成したため材料を透過してポケット部３に湿気や空気が入り込むことがなく、また、周縁部５を巻き締めたことにより、端面からも湿気や空気などが入り込むことがなく、ポケット部３に湿気や空気などが入り込むことを防止することができる。このため、湿気や空気に触れると変質しやすい薬剤などに好適に用いることができる。
【００２４】
上記実施形態の構成態様は、本発明を限定するものとして挙げたものではなく、技術目的を共通にするかぎり変更は可能であり、本発明はそのような変更を含むものである。
【符号の説明】
【００２５】
１ＰＴＰ包装体  ２底材  ２４周縁部  ３ポケット部  ４蓋材  ４４周縁部  ５周縁部
【図１】
2011042370.tif 000003
【図２】
2011042370.tif 000004
【図３】
2011042370.tif 000005
【図４】
2011042370.tif 000006
【図５】
2011042370.tif 000007
【図６】
2011042370.tif 000008
【図７】
2011042370.tif 000009
【図８】
2011042370.tif 000010
【図９】
2011042370.tif 000011
【図１０】
2011042370.tif 000012
【図１１】
2011042370.tif 000013
【図１２】
2011042370.tif 000014
【図１３】
2011042370.tif 000015